(57)【特許請求の範囲】
【請求項１】
内容物を収容可能な収容空間、及び、前記収容空間を開放する開口を含む樹脂シートと、
前記樹脂シートに取り付けられ、前記開口を開放及び閉鎖するファスナーとを備え、
前記樹脂シートは、前記樹脂シートのうちの前記ファスナーよりも外側の部分であり、シールされることにより前記開口を閉鎖するシート外側部分と、前記ファスナーにより前記開口が閉鎖された状態において前記収容空間の外部と前記収容空間とを繋げることが可能な通蒸部と、前記通蒸部を閉鎖する通蒸シール部と、前記通蒸シール部及び前記シート外側部分を切り取るためのガイドである切り取りガイドとを含み、
前記切り取りガイドは、前記シート外側部分と前記ファスナーとの間を通過する第１の部分と、前記第１の部分と繋がり、前記ファスナーを横断する第２の部分と、前記第２の部分と繋がり、前記通蒸シール部及び前記通蒸部を通過する第３の部分とを含む
蒸気抜きスタンディングパウチ。
【請求項２】
前記通蒸部は前記収容空間から前記通蒸シール部内に突出するように形成され、前記樹脂シートの外部と連通しないように前記通蒸シール部に取り囲まれた通路である
請求項１に記載の蒸気抜きスタンディングパウチ。
【請求項３】
前記樹脂シートは第１の側部をシールする第１の側部シール部、及び、第２の側部をシールする第２の側部シール部を含み、
前記ファスナーは前記第１の側部シール部から前記第２の側部シール部までにわたり前記樹脂シートに取り付けられ、
前記シート外側部分は前記第１の側部シール部及び前記第２の側部シール部と繋がり、
前記第１の側部シール部は前記通蒸シール部を含む
請求項１又は２に記載の蒸気抜きスタンディングパウチ。
【請求項４】
前記第１の側部シール部は前記樹脂シートの上下方向の中間に形成される中間の部分、及び、前記中間の部分と繋がり、前記中間の部分よりも上方に形成される上方の部分を含み、
前記上方の部分は前記中間の部分よりも幅が広く、前記ファスナーの一部が取り付けら
れ、前記通蒸シール部を含む
請求項３に記載の蒸気抜きスタンディングパウチ。
【請求項５】
前記切り取りガイドの前記第１の部分は前記第２の側部シール部から前記第１の側部シール部までにわたり形成され、
前記切り取りガイドの前記第２の部分は前記第１の側部シール部において前記ファスナーを横断し、
前記切り取りガイドの前記第３の部分は前記第１の側部シール部において前記通蒸シール部及び前記通蒸部を通過する
請求項３又は４に記載の蒸気抜きスタンディングパウチ。
【請求項６】
前記収容空間に収容された内容物と、
前記樹脂シートのうちの前記シート外側部分がシールされた部分であり、前記開口を閉鎖している閉鎖シール部とをさらに備える
請求項１〜５のいずれか一項に記載の蒸気抜きスタンディングパウチ。
【発明の詳細な説明】
【技術分野】
【０００１】
この発明は、電子レンジ等による食品などの加熱に用いられる蒸気抜きスタンディングパウチに関する。
【背景技術】
【０００２】
従来から、食品等の内容物を収容して電子レンジにより加熱処理するための蒸気抜きパウチが種々提案されている。例えば、特許文献１には、内容物を収容するための開口部を開封及び再封するファスナーを有するパウチが開示されている。そしてこのパウチには、電子レンジによる加熱処理に際して、水蒸気等のガスが発生して内圧が過度に上昇したときに内部を通蒸してパウチの破裂等、その損傷を回避するための通蒸部、具体的にはパウチの内部と外部とを連通する開口が形成されている。
【０００３】
その他、特許文献２には、内容物が収容された状態で予めその周囲にシール加工を施すことで密封状態とするパウチが開示されている。このパウチでは、電子レンジによる加熱処理の前にシール加工が施された部分の一部を切り取ることにより、上述したような通蒸用の開口を形成するようにしている。
【先行技術文献】
【特許文献】
【０００４】
【特許文献１】特開２０００−３３５５９３号公報
【特許文献２】登録実用新案第３０４７７０８号公報
【発明の概要】
【発明が解決しようとする課題】
【０００５】
ところで、食品用パウチを、例えば内容物を収容した後にシール加工を通じて密封状態とする用途に使用する場合であれば、流通過程においてその内部に異物が混入すること、そしてこれに起因する内容物の汚損を回避することが必要とされ、またこのように内部に内容物を収容しない場合でも、パウチ内部の汚損を避ける意味で少なくとも異物の混入についてはこれを回避する必要がある。すなわち、食品用パウチにあっては、その流通過程において高い気密性を有していることが望ましいといえる。
【０００６】
また、こうしたパウチにあって、電子レンジによる加熱処理を行う前に、パウチに新たに或いは追加して内容物を収容したり、取り出したりすることを自由に行うことができれば、その利便性を高めることができる。例えば、食品を加熱調理するためのレトルトパウチを例に挙げると、その調味料等の素材を予め収容しこれを密封状態としておき、その後の電子レンジによる加熱調理の前に別の素材を追加したり取り出したりすることができれば、その利便性を一層高めることができる。その他、通蒸用の開口から食品が漏れ出さないようするために、電子レンジ内で自立状態とすることのできる、いわゆるスタンディングパウチであることが望ましい。
【０００７】
しかしながら、特許文献１に記載のパウチにあっては、通蒸用の開口が予め形成され、その内部が外部と常時連通した状態となっているため、流通過程にこの通蒸用の開口を通じてパウチに異物が混入する可能性がある。一方、特許文献２に記載のパウチは、電子レンジによる加熱処理に先立ちパウチの一部を切り取ることではじめてこうした通蒸用の開口が形成されるものであるため、流通過程においては高い気密性を維持することができる。ただし、このパウチは、収容物の追加や取り出しを自由に行う点については考慮されておらず、また自立機能を有していないために電子レンジ内で内容物が漏れ出す可能性があり、その利便性の点で改善の余地を残すものとなっている。なお、電子レンジを用いて加熱を行う場合を例に挙げてこの発明の技術課題を説明したが、これは湯煎器等、他の加熱器を用いて加熱を行う蒸気抜きスタンディングパウチにあっても同様に存在する。
【０００８】
この発明は、こうした実情に鑑みてなされたものであり、その目的は、流通過程において高い気密性を維持しつつも、その加熱前には内容物の収容や取り出しが自由に行うことができる一方、加熱時には過度な内圧上昇に起因する損傷を回避することのできる蒸気抜きスタンディングパウチを提供することにある。
【課題を解決するための手段】
【０００９】
〔１〕本発明に従う蒸気抜きスタンディングパウチの一形態は、内容物を収容可能な収容空間、及び、前記収容空間を開放する開口を含む樹脂シートと、前記樹脂シートに取り付けられ、前記開口を開放及び閉鎖するファスナーとを備え、前記樹脂シートは、前記樹脂シートのうちの前記ファスナーよりも外側の部分であり、シールされることにより前記開口を閉鎖するシート外側部分と、前記ファスナーにより前記開口が閉鎖された状態において前記収容空間の外部と前記収容空間とを繋げることが可能な通蒸部と、前記通蒸部を閉鎖する通蒸シール部と、前記通蒸シール部及び前記シート外側部分を切り取るためのガイドである切り取りガイドとを含み、前記切り取りガイドは、前記シート外側部分と前記ファスナーとの間を通過する第１の部分と、前記第１の部分と繋がり、前記ファスナーを横断する第２の部分と、前記第２の部分と繋がり、前記通蒸シール部及び前記通蒸部を通過する第３の部分とを含む。
【００１０】
この蒸気抜きスタンディングパウチによれば、シート外側部分にシール加工を施すことにより、樹脂シートの縁が全てシールされた状態となるため、流通過程において高い気密性を維持することができる。したがって、例えばこの蒸気抜きスタンディングパウチを、シート外側部分のシール加工に先立って内容物を予め収容空間に収容する用途に使用する場合には、その流通過程において収容空間に異物が混入することに起因する内容物の汚損を回避することが可能になる。さらに、シール加工が施されたシート外側部分を含めるかたちで樹脂シートの一部を切り取りガイドに沿って切り取った後は、ファスナーの開封・再封操作を通じて内容物を新たに或いは追加して収容空間に収容したり、これを取り出したりすることができるようになる。しかも、こうした樹脂シートの切り取りに伴ってはじめて収容空間の蒸気が通蒸部を通じて排出可能になるため、加熱時に内圧が過度に上昇して蒸気抜きスタンディングパウチが破裂するなど、その損傷についてもこれを回避することができる。なお、こうした本発明による効果は、電子レンジによる加熱時に顕著ではあるが、これに限らず例えば湯煎器等、他の加熱器を用いた加熱時においても同様に期待できる。
【００１１】
〔２〕前記蒸気抜きスタンディングパウチの一例によれば、前記通蒸部は前記収容空間から前記通蒸シール部内に突出するように形成され、前記樹脂シートの外部と連通しないように前記通蒸シール部に取り囲まれた通路である。
【００１４】
〔３〕前記蒸気抜きスタンディングパウチの一例によれば、前記樹脂シートは第１の側部をシールする第１の側部シール部、及び、第２の側部をシールする第２の側部シール部を含み、前記ファスナーは前記第１の側部シール部から前記第２の側部シール部までにわたり前記樹脂シートに取り付けられ、前記シート外側部分は前記第１の側部シール部及び前記第２の側部シール部と繋がり、前記第１の側部シール部は前記通蒸シール部を含む。
【００１５】
〔４〕前記蒸気抜きスタンディングパウチの一例によれば、前記第１の側部シール部は前記樹脂シートの上下方向の中間に形成される中間の部分、及び、前記中間の部分と繋がり、前記中間の部分よりも上方に形成される上方の部分を含み、前記上方の部分は前記中間の部分よりも幅が広く、前記ファスナーの一部が取り付けられ、前記通蒸シール部を含む。
【００１６】
〔５〕前記蒸気抜きスタンディングパウチの一例によれば、前記切り取りガイドの前記第１の部分は前記第２の側部シール部から前記第１の側部シール部までにわたり形成され、前記切り取りガイドの前記第２の部分は前記第１の側部シール部において前記ファスナーを横断し、前記切り取りガイドの前記第３の部分は前記第１の側部シール部において前記通蒸シール部及び前記通蒸部を通過する。
【００１７】
〔６〕前記蒸気抜きスタンディングパウチの一例によれば、前記収容空間に収容された内容物と、前記樹脂シートのうちの前記シート外側部分がシールされた部分であり、前記開口を閉鎖している閉鎖シール部とをさらに備える。
収容空間に内容物が収容された状態でシート外側部分にシール加工が施されて閉鎖シール部が形成された蒸気抜きスタンディングパウチは、先に記載した蒸気抜きスタンディングパウチの効果の他、流通過程に必要とされる高い気密性を維持することができる。このため、その流通過程において収容空間に異物が混入してこれが内容物に付着することを回避することができる。
【発明の効果】
【００１８】
この発明によれば、蒸気抜きスタンディングパウチにおいて、流通過程において高い気密性を維持しつつも、その加熱前には内容物の収容や取り出しが自由に行うことができる一方、加熱時には過度な内圧上昇に起因するその損傷を回避することができるようになる。
【図面の簡単な説明】
【００１９】
【図１】本発明を具体化した一実施形態にかかる蒸気抜きスタンディングパウチの正面図。
【図２】（ａ）は図１のＤＡ−ＤＡ線に沿う断面構造を示す断面図、（ｂ）は（ａ）の領域Ｘの拡大断面構造を示す断面図。
【図３】シール可能部位がシールされていない状態を示すパウチの正面図。
【図４】シール可能部位がシールされた状態を示すパウチの正面図
【図５】切り取りガイドに沿って容器の一部が切り取られた状態を示すパウチの正面図。
【図６】蒸気抜きスタンディングパウチが開封している状態を示すパウチの正面図。
【図７】本発明のその他の実施形態にかかる蒸気抜きスタンディングパウチについて、通蒸部の構成を示す部分正面図。
【図８】本発明のその他の実施形態にかかる蒸気抜きスタンディングパウチについて、通蒸部の構成を示す部分正面図。
【発明を実施するための形態】
【００２０】
まず、図１及び図２を併せ参照し、本発明にかかる蒸気抜きスタンディングパウチの全体構成について説明する。本実施形態では、食品を加熱調理するためのレトルトパウチ（パウチ）として本発明を具体化している。なお、以下においてシール加工とは熱溶着によるシール加工を意味するものとする。
【００２１】
図１に示されるように、パウチは、底部１１及び側部１２となる三方がシール加工された袋状をなす樹脂シート製の容器１０からなり、その上部となる一辺はファスナー２０により開封及び再封が可能となっている。また、このファスナー２０よりも容器１０の上部周縁に近接する部位には、シール加工の可能なシール可能部位３０が設けられている。
【００２２】
容器１０には、ファスナー２０の一端部下方から同ファスナー２０を横断してシール可能部位３０及びファスナー２０の間の領域にかけて容器１０の切り取りをガイドする第１切り取りガイド４０と、この第１切り取りガイド４０のファスナー２０の下方に位置し、第１切り取りガイド４０に沿った容器１０の切り取りに伴ってファスナー２０により封じられた容器１０の内部の蒸気を抜く通蒸部５０とが設けられている。
【００２３】
第１切り取りガイド４０はシール可能部位３０及びファスナー２０の間の領域においてファスナー２０と平行に延びる第２切り取りガイド４１と連続的に設けられている。また、第１切り取りガイド４０の始点には、切り取りのきっかけとなるノッチ４２が設けられている。なお、これら切り取りガイド４０,４１はハ字形状のミシン目加工がなされている。
【００２４】
図２（ａ）に示されるように、容器１０は、一対の本体シート１３，１４と、これら本体シート１３，１４の間に挿入される底部シート１５とによって構成されている。すなわち、パウチは、容器１０の底部シート１５が拡がることにより自立状態となるスタンディングパウチである。
【００２５】
これら、本体シート１３，１４及び底部シート１５の材質としては容器１０の外部表面から内部にむけて、ポリエチレンテレフタレート（ＰＥＴ）層、印刷層、接着層、延伸ナイロン層（ＯＮＹ）、接着層、無延伸ポリプロピレン（ＣＰＰ）の層構成を有する積層シートが用いられている。本実施形態のパウチは、外箱等に収容せずそのまま流通させるため、印刷層には、パウチの遮光性を高めるとともに、商品としての販売促進効果を向上させる目的で、美麗な絵柄や商品の説明等（図示略）が記載されている。
【００２６】
側部１２には、容器１０の内方から延伸して側部１２のシール加工された部位に挟まれる態様でシール加工が行われていない未シール部１６が設けられているとともに、一部が幅広にシール加工された把持部１７がそれぞれ設けられている。この把持部１７は容器１０の内部と比較して熱容量、換言すれば比熱が小さく早く冷めるため、使用者はこの把持部１７を把持することで、電子レンジで加熱されて内部が高温になっていてもパウチを取り扱うことができる。
【００２７】
底部１１には、シール加工が行われていない部分１８が形成されている。このシール加工が行われていない部分１８は、シール加工時の熱収縮によって、本体シート１３，１４に凹凸が形成されることを防止するとともに、パウチの見栄えや落下時の強度を向上させる機能を有している。また、底部１１が形成された領域の左右周縁には、本体シート１３，１４がシール加工された本体シール部１９が設けられている。この本体シール部１９は、底部シート１５をパンチ加工して、穴あるいは切り欠きを設けておき、シール加工時に本体シート１３，１４のシールされる層であるシーラント層同士が直接シール加工されるように形成されている。こうした本体シール部１９が形成されることにより、底部１１の左右両端部が開くことを防止することができ、また容器１０が自立状態にあるときの安定性やそのパウチの見栄えの向上が図れている。
【００２８】
図２（ｂ）に示されるように、ファスナー２０は、本体シート１３と一体的に設けられる矢尻状の第１ファスナー２１と、本体シート１４と一体的に設けられる椀状の第２ファスナー２２とによって構成されている。これら第１ファスナー２１と第２ファスナー２２とが咬み合うことにより、ファスナー２０は、開口側からは開け易く、容器１０の内容物側からは開け難くなっている。
【００２９】
通蒸部５０は、上述した未シール部１６の他、これに隣接するシール加工された部位により構成されており、第１切り取りガイド４０は容器１０の側部１２のシール加工された部位において未シール部１６を横断する部位４０Ａを有している。
【００３０】
次に図３〜図６を併せ参照して、このパウチの使用方法について説明する。
図３に示されるように、パウチは、シール可能部位３０がシールされていない状態において、調味料が容器１０の内部に投入されて収容された状態となる。次に、図４に示されるように、容器１０の内部に調味料が収容された後には、シール可能部位３０がシール加工されることにより、パウチが密封状態となる。さらに、図５に示されるように、この容器１０の内部に調味料が収容され、かつシール可能部位３０がシール加工された状態のパウチは、加熱殺菌等の後処理がなされた後に流通される。そして、使用者によってノッチ４２を始点として第１切り取りガイド４０に沿って側部１２の一部が容器１０から切り離されるとともに、第２切り取りガイド４１に沿って、シール可能部位３０が容器１０から切り離される。これにより、通蒸部５０には、容器１０の内部と外部とを連通する通蒸用の開口５１が形成される。
【００３１】
また、シール可能部位３０が容器１０から切り離されることにより、図６に示されるように、使用者はファスナー２０によって、パウチの開封及び再封することが可能となり、容器１０の内部に肉や野菜等々の具材を追加することができる。その後、ファスナー２０によってパウチを再封するとともに、電子レンジで加熱することにより調理がなされる。
【００３２】
以上説明した本実施形態によれば、以下の効果を得ることができる。
（１）このパウチにあっては、シール可能部位３０にシール加工を施すことにより、容器１０の底部１１及び側部１２に上部を加えた四方が全てシールされた状態となるため、流通過程において高い気密性を維持することができる。したがって、本実施形態のように、このパウチをシール可能部位３０のシール加工に先立って調味料を予め容器に収容する用途に使用する場合には、その流通過程において容器に異物が混入することに起因する内容物の汚損を回避することが可能になる。さらに、シール加工されたシール可能部位を含めるかたちで容器１０の一部を第１切り取りガイド４０及び第２切り取りガイド４１に沿って切り取った後は、ファスナー２０の開封・再封操作を通じて内容物を新たに或いは追加して容器に収容したり、これを取り出したりすることができるようになる。しかも、こうした容器１０の切り取りに伴ってはじめて容器１０の内部の蒸気が通蒸部５０を通じて排出可能になるため、加熱時に内圧が過度に上昇して容器が破裂するなど、その損傷についてもこれを回避することができる。
【００３３】
（２）第１切り取りガイド４０に沿って容器１０の一部を切り取る際に、通蒸部５０の一部も併せて切り取られ、これに伴って容器１０の内部と外部と連通する開口５１が形成されるため、加熱時にはこの開口５１を通じて容器１０の通蒸が確実になされるようになり、過度な内圧の上昇に起因する容器１０の損傷を好適に回避することができるようになる。
【００３４】
（３）加熱中に、水蒸気等のガスを通蒸部５０を通じて速やかに外部に排出し、容器の過度な内圧上昇を抑制することができるとともに、加熱中に調味料が容器から漏れ出すことについても好適に抑制することができる。また、加熱前後にパウチを取り扱う際にも同様に、調味料が容器から不用意に漏れ出すことを抑制することができる。
【００３５】
（４）第２切り取りガイド４１に沿って容器１０の一部が切り取られると、容器１０の上部の開口の周縁部がファスナー２０と平行になるため、内容物の収容や取り出しが容易になり、またその見栄えもよくなる。
【００３６】
なお、これらの効果は、電子レンジによる加熱時に顕著ではあるが、これに限らず例えば湯煎器を用いた加熱時においても同様に期待できる。
（５）上述したようなパウチを用いて、容器１０に食品が収容された状態でシール可能部位３０にシール加工が施されて容器１０が密封された食品包装体は、上述した（１）〜（４）に記載の効果の他、流通過程に必要とされる高い気密性を維持することができるため、食品の鮮度を長期間に亘って維持することが可能になるとともに、その流通過程に容器に異物が混入してこれが食品に付着することも回避する効果を奏することができる。
（その他の実施形態）
なお、この発明の実施態様は上記実施形態にて例示した態様に限られるものではなく、これを例えば以下に示すように変更して実施することもできる。また以下の各変形例は、上記実施形態についてのみ適用されるものではなく、異なる変形例同士を互いに組み合わせて実施することもできる。
【００３７】
・図７に示されるように、第１切り取りガイド４０はファスナー２０の一端部下方からファスナー２０側に曲がる部分の他に直線状に延びる部分である直線部４０Ｂを有し、この直線部４０Ｂが未シール部１６を横断するように通蒸部５０の位置を設定することもできる。
【００３８】
この構成によれば、上記（１）〜（５）の各効果に加えて以下の効果を奏することができる。
（６）すなわち、第１切り取りガイド４０の曲がる部分が未シール部１６を横断するように通蒸部５０の位置が設定される構成にあっては、第１切り取りガイド４０に沿う容器１０の切り取りが困難なものとなる。
【００３９】
この点、この構成を用いることにより、未シール部１６が、第１切り取りガイド４０に沿って未シール部１６の一部を切り取る際にその切り取り方向を変化させる必要がないため、その切り取りを容易なものとすることができる。
【００４０】
・通蒸部５０としては種々の構成を採用することができる。例えば、図８に示すように、容器１０の内方から延伸してその側部１２のシール加工された部位において局所的にシール強度を低下せしめた易剥離部６０を通蒸部５０とすることができる。この構成によれば、容器１０の側部１２のシール加工された部位において易剥離部６０を横断する部位である第１切り取りガイド４０に沿って容器１０の一部を切り取る際に、通蒸部５０の一部も併せて切り取られ、これに伴って通蒸部５０、すなわち易剥離部６０における剥離が生じ易い状態となる。したがって、加熱時に容器１０の内圧が過度に上昇したときには、その内圧によりファスナー２０が開封状態となる前に易剥離部６０が剥離して開口５１が形成される。そして、この開口５１を通じて容器１０の通蒸がなされるため、過度な内圧の上昇に起因する容器１０の損傷を好適に回避することができる。また、こうした通蒸用の開口５１は、容器１０の加熱時にその内圧が過度に上昇したときにはじめて形成されるものであるため、内容物を容器に収容してファスナーを再封したパウチを取り扱う際に、通蒸部５０を通じて収容物が外部に漏れ出したり、容器内に異物が混入して内容物を汚損してしまうこともない。
【００４１】
・本体シート１３，１４及び底部シート１５の材質としては容器１０の外部表面から内部にむけて、ＰＥＴ層、印刷層、接着層、透明蒸着フィルム層、接着層、ＯＮＹ層、接着層、ＣＰＰ層の層構成を有する材質や透明蒸着フィルム層、印刷層、接着層、ＯＮＹ層、接着層、ＣＰＰ層の層構成を有する材質を用いることができる。さらには、印刷層を省略しパウチを透明とすることもできる。なお、加熱に電子レンジを使用しない場合には、遮光性が高いアルミニウム箔を使用した積層シートを用いることができる。この場合には、パウチは不透明となる。
【００４２】
・本体シート１３，１４及び底部シート１５によって容器１０を構成したが、一枚の本体シートを加工することによって容器１０を形成することもできる。
・容器１０の内部に収容されるのは上述した調味料等には限定されず、種々の食品を収容することができる。
【００４３】
・容器１０の内部に収容されるのは、食品等には限定されない。例えば、医療具や哺乳瓶等の殺菌消毒された物品を収容し、シール可能部位３０をシール加工することもできる。この場合には、使用者はパウチを開封して殺菌消毒された物品を使用後、パウチを利用して再度物品の加熱消毒を行うことができる。
【００４４】
・切り取りガイド４０,４１のミシン目加工の形状は、Ｙ字形状の他、一定の位置でパウチを開封することのできる形状であればよい。
・また容器１０の内部に何も収容せずに、シール可能部位３０をシール加工し、パウチを単独で流通させることもできる。
【００４５】
・シール加工の方法としては、熱溶着シールの他、本体シート１３,１４や底部シート１５を形成する材料に応じたシール加工の方法を選択することができる。例えば、インパルスシール、高周波シール、超音波シール等を選択することができる。
【符号の説明】
【００４６】
１０…容器、１１…底部、１２…側部、１６…未シール部、２０…ファスナー、３０…シール可能部、４０…第１切り取りガイド、４０Ａ…横断する部位、４０Ｂ…直線部、４１…第２切り取りガイド、５０…通蒸部、５１…開口。
【図１】
0005842498.tif 000002
【図２】
0005842498.tif 000003
【図３】
0005842498.tif 000004
【図４】
0005842498.tif 000005
【図５】
0005842498.tif 000006
【図６】
0005842498.tif 000007
【図７】
0005842498.tif 000008
【図８】
0005842498.tif 000009